(57)【要約】【課題】パネル本体を軸組間に押し込み易くすることによって、施工性を向上させることができる断熱パネルを提供する。【解決手段】断熱パネル１は、長方形のパネル本体２と、同パネル本体２の両側縁に延設された長尺状のブラケット３とから構成されている。ブラケット３は、摺動部と、その摺動部対して直角をなす差込部及び位置決め部とによって一体的に形成されている。ブラケット３は、パネル本体２の両側面のほぼ全体が摺動部によって覆われた状態で設けられている。【選択図】  図１
2004176342.tif 000002
【特許請求の範囲】
【請求項１】
発泡性材料からなるパネル本体にブラケットを設け、そのブラケットにより前記パネル本体を木造家屋の軸組間に押し込むように取り付ける断熱パネルにおいて、
前記ブラケットを、前記パネル本体の側面を覆うように延設するとともに、前記パネル本体よりも摩擦抵抗が小さい材料で形成したことを特徴とする断熱パネル。
【請求項２】
前記ブラケットは、前記パネル本体が前記軸組間に押し込まれるとき前記軸組に対して摺動する摺動部と、前記摺動部の一端部に設けられかつ前記パネル本体の側縁部付近に形成された溝部に差し込まれる差込部と、前記摺動部の他端部に設けられかつ前記軸組間に押し込まれる前記パネル本体を定められた位置に位置決めする位置決め部とを備え、前記差込部、前記摺動部及び前記位置決め部は合成樹脂材料によって一体的に形成されていることを特徴とする請求項１に記載の断熱パネル。
【請求項３】
前記ブラケットの前記差込部には、前記ブラケットが前記パネル本体の前記溝部から抜け出るのを防止する抜け止め部が形成されていることを特徴とする請求項１又は２に記載の断熱パネル。
【請求項４】
前記パネル本体は発泡性材料によって形成され、前記パネル本体の両側縁付近には、前記ブラケットから所定の間隔をおいて直線状に延びる細溝が形成されていることを特徴とする請求項１〜３のうちいずれか１項に記載の断熱パネル。
【請求項５】
前記ブラケットが配置されている前記パネル本体の両側面は、それらの間隔が前記軸組間に前記パネル本体が押し込まれる方向に向かうほど小さくなるように傾斜されていることを特徴とする請求項１〜４のうちいずれか１項に記載の断熱パネル。
【請求項６】
発泡性材料からなるパネル本体にブラケットを設け、そのブラケットにより前記パネル本体を木造家屋の軸組間に押し込むように取り付ける断熱パネルにおいて、
前記ブラケットを、前記パネル本体の両側面を覆うように延設するとともに、前記パネル本体よりも摩擦抵抗が小さい材料で形成し、更に前記ブラケットを、前記パネル本体が前記軸組間に押し込まれるとき前記軸組に対して摺動する摺動部と、前記摺動部の一端部に設けられかつ前記パネル本体の両側面に凹設された溝部に差し込まれる差込部と、この差込部に形成されかつ前記溝部から前記差込部が抜け出るのが阻止される抜け止め部と、前記摺動部の他端部に設けられかつ前記軸組間に押し込まれる前記パネル本体を定められた位置に位置決めする位置決め部とから構成し、それら差込部、抜け止め部及び位置決め部を前記パネル本体の発泡性材料よりも摩擦抵抗が小さくかつ硬質な合成樹脂材料で一体的に形成し、前記パネル本体の両側縁付近に、前記ブラケットから所定の間隔をおいて直線状に延びる細溝を形成し、その細溝を前記差込部が差し込まれる前記溝部の内奥部よりも前記パネル本体の中心側に位置させたことを特徴とする断熱パネル。
【発明の詳細な説明】
【０００１】
【発明の属する技術分野】
この発明は、家屋の床、天井、壁等に使用される断熱パネルに関するものである。
【０００２】
【従来の技術】
一般的に、木造家屋の床、天井、壁の場合、断熱性の向上を目的として、軸組で囲まれる空間内には断熱パネルが配置されている。図２７に示すように、断熱パネル９０は、発泡性材料からなる板状のパネル本体９１と、長尺状のブラケット９２とから構成されている。ブラケット９２は、その一端部９２ａをパネル本体９１に差し込むことで、同パネル本体９１の両側縁に延設されている（例えば、特許文献１参照。）。作業者は、パネル本体９１を軸組９４間に押し込み、ブラケット９２を軸組９４に取り付けることによって、断熱パネル９０の施工を行っている。
【０００３】
【特許文献１】
特開平１０−３７３９０３号公報
【０００４】
【発明が解決しようとする課題】
ところが、一般に、発泡性材料からなるパネル本体９１は、全体的に軟質であることや、軸組９４間の定められた位置にパネル本体９１を隙間なく取り付けるため、パネル本体９１の両側面の間隔が軸組９４間よりも若干幅広に形成されている。これらの理由から、パネル本体９１は、軸組９４間に押し込まれるとき、隣接する軸組９４に対し滑りにくくなっていた。このような場合、作業者は、パネル本体９１を軸組９４間に無理に押し込まなければならず、その施工性が悪化するおそれがあった。
【０００５】
本発明は上記の課題に鑑みてなされたものであり、その目的は、パネル本体を軸組間に押し込み易くすることによって、施工性を向上させることができる断熱パネルを提供することにある。
【０００６】
【課題を解決するための手段】
上記の課題を解決するために、請求項１に記載の発明では、発泡性材料からなるパネル本体にブラケットを設け、そのブラケットにより前記パネル本体を木造家屋の軸組間に押し込むように取り付ける断熱パネルにおいて、前記ブラケットを、前記パネル本体の側面を覆うように延設するとともに、前記パネル本体よりも摩擦抵抗が小さい材料で形成したことをその要旨とする。
【０００７】
この構成によれば、パネル本体は、隣接する軸組に対してブラケットを摺動させながら、軸組間に押し込まれるようになっている。このとき、ブラケットはパネル本体よりも摩擦抵抗が小さい材料から形成されているため、パネル本体の両側面と軸組との間で生じる摩擦力を従来よりも小さくすることができる。よって、パネル本体が軸組間に押し込み易くなることから、断熱パネルの施工性を向上させることができる。
【０００８】
請求項２に記載の発明では、請求項１に記載の発明において、前記ブラケットは、前記パネル本体が前記軸組間に押し込まれるとき前記軸組に対して摺動する摺動部と、前記摺動部の一端部に設けられかつ前記パネル本体の側縁部付近に形成された溝部に差し込まれる差込部と、前記摺動部の他端部に設けられかつ前記軸組間に押し込まれる前記パネル本体を定められた位置に位置決めする位置決め部とを備え、前記差込部、前記摺動部及び前記位置決め部は合成樹脂材料によって一体的に形成されていることをその要旨とする。
【０００９】
この構成によれば、ブラケットを、樹脂成型等によって一体的に形成することができる。よって、ブラケットを効率良く生産することができ、断熱パネルを安価に製造することができる。また、合成樹脂材料からなるブラケットは、金属製のブラケットと比べ、熱の伝わりを抑制することができる。従って、屋内にて内部結露が発生するのを防止することもできる。
【００１０】
請求項３に記載の発明では、請求項１又は２に記載の発明において、前記ブラケットの前記差込部には、前記ブラケットが前記パネル本体の前記溝部から抜け出るのを防止する抜け止め部が形成されていることをその要旨とする。
【００１１】
この構成によれば、ブラケットは、抜け止め部を有する差込部が溝部に差し込まれることによって、パネル本体から抜けにくくなっている。つまり、ブラケットの差込部をパネル本体の溝部に差し込むだけで、ブラケットとパネル本体とを簡単かつ確実に一体化させることができる。よって、断熱パネルをより一層安価に製造することができる。
【００１２】
請求項４に記載の発明では、請求項１〜３のうちいずれか１項に記載の発明において、前記パネル本体は発泡性材料によって形成され、前記パネル本体の両側縁付近には、前記ブラケットから所定の間隔をおいて直線状に延びる細溝が形成されていることをその要旨とする。
【００１３】
この構成によれば、パネル本体は、直線状に延びる細溝が形成された両側縁付近で変形し易くなっている。このため、パネル本体が軸組間により一層押し込み易くなることから、断熱パネルの施工性をより一層向上させることができる。この場合、断熱パネルは、軸組との間に隙間を生じることなく、隣接する軸組と密着するように配置されている。よって、家屋の気密性、断熱性を向上させることもできる。
【００１４】
請求項５に記載の発明では、請求項１〜４のうちいずれか１項に記載の発明において、前記ブラケットが配置されている前記パネル本体の両側面は、それらの間隔が前記軸組間に前記パネル本体が押し込まれる方向に向かうほど小さくなるように傾斜されていることをその要旨とする。
【００１５】
この構成によれば、パネル本体は、軸組間に押し込まれる側が幅狭に形成されているため、同軸組間に案内され易くなっている。よって、パネル本体が軸組間に更に押し込み易くなることから、断熱パネルの施工性を更に向上させることができる。
【００１６】
請求項６に記載の発明では、発泡性材料からなるパネル本体にブラケットを設け、そのブラケットにより前記パネル本体を木造家屋の軸組間に押し込むように取り付ける断熱パネルにおいて、前記ブラケットを、前記パネル本体の両側面を覆うように延設するとともに、前記パネル本体よりも摩擦抵抗が小さい材料で形成し、更に前記ブラケットを、前記パネル本体が前記軸組間に押し込まれるとき前記軸組に対して摺動する摺動部と、前記摺動部の一端部に設けられかつ前記パネル本体の両側面に凹設された溝部に差し込まれる差込部と、この差込部に形成されかつ前記溝部から前記差込部が抜け出るのが阻止される抜け止め部と、前記摺動部の他端部に設けられかつ前記軸組間に押し込まれる前記パネル本体を定められた位置に位置決めする位置決め部とから構成し、それら差込部、抜け止め部及び位置決め部を前記パネル本体の発泡性材料よりも摩擦抵抗が小さくかつ硬質な合成樹脂材料で一体的に形成し、前記パネル本体の両側縁付近に、前記ブラケットから所定の間隔をおいて直線状に延びる細溝を形成し、その細溝を前記差込部が差し込まれる前記溝部の内奥部よりも前記パネル本体の中心側に位置させたことをその要旨とする。
【００１７】
この構成によれば、パネル本体は、隣接する軸組に対しブラケットを摺動させながら、軸組間に押し込まれるようになっている。この場合、ブラケットは、パネル本体よりも摩擦抵抗が小さい材料から形成されているため、パネル本体の両側面と軸組との間で生じる摩擦力を小さくすることができる。また、パネル本体は、直線状に延びる細溝が形成され両側縁付近が変形し易くなっている。更には、パネル本体は、軸組間に押し込まれる側が幅狭に形成されているため、同軸組間に案内され易くなっている。これらの理由から、パネル本体が軸組間に押し込み易くするなるため、断熱パネルの施工性を向上させることができる。
【００１８】
また、ブラケットは、樹脂成型等によって一体的に形成される。そして、ブラケットの差込部をパネル本体の溝部に差し込むだけで、ブラケットとパネル本体とを簡単かつ確実に一体化させることができる。よって、断熱パネルを安価に製造することができる。また、断熱パネルは、隣接する軸組に対し密着するように配置されるため、家屋の気密性と断熱性とを向上させることもできる。また、合成樹脂材料からなるブラケットは、金属製のブラケットと比べ、熱の伝わり抑制することができるため、屋内にて内部結露が発生するのを防止することもできる。更には、パネル本体の両側縁付近に形成された細溝は、ブラケットの差込部が差し込まれる溝部の内奥部よりもパネル本体の中心側に位置されているため、パネル本体の両側縁付近の強度低下を防ぐこともできる。
【００１９】
【発明の実施の形態】
［第１実施形態］
以下、本発明の断熱パネルを、木造家屋の床部に取り付ける断熱パネル１に具体化した第１実施形態を図面に基づいて説明する。
【００２０】
図１〜図６に示すように、木造家屋の床組は、間隔をおいて配置された根太等の軸組１５によって構成され、それら軸組１５間には、断熱パネル１が取り付けられている。断熱パネル１は、軸組１５によって囲まれる空間に配置される長方形状のパネル本体２を備えている。パネル本体２は、取り付けられる位置に応じて、所定の規格寸法に形成されている。このパネル本体２は、断熱以外にも、衝撃吸収、吸音等に優れる発泡性材料からなり、公知の発泡射出成形法により形成される。この場合、発泡性材料としては、例えば、ポリスチレン系樹脂、ポリプロピレン系樹脂、ウレタン系樹脂、フェノール系樹脂等が挙げられる。
【００２１】
断熱パネル１が軸組１５間に取り付けられていない状態において、パネル本体２の両側面２ｃは、それらの間隔が軸組１５間に断熱パネル１が押し込まれる方向に向かうほど小さくなるように傾斜されている。従って、パネル本体２の屋外面２ｂの幅は、軸組１５間の幅とほぼ同じである屋内面２ａの幅よりも小さくなっている。このような寸法関係により、断熱パネル１は軸組１５との間で隙間無く取り付けられている。
【００２２】
パネル本体２の両側面２ｃには、パネル本体２を軸組１５間に対して取り付けるためのブラケット３が設けられている。このブラケット３によって、パネル本体２の両側面２ｃのほぼ全体が覆われている。別の言い方をすれば、パネル本体２の両側面２ｃに相当する部分においてブラケット３が露出されている。
【００２３】
ブラケット３は、公知の押出成形方法により得られた長尺状の成形素材を所定の長さに切断したものである。ブラケット３は、パネル本体２の形成材料である前記発泡性材料よりも硬質かつ摩擦抵抗が小さい合成樹脂材料から形成されている。この場合、合成樹脂材料としては、例えば、ポリスチレン系樹脂、ポリプロピレン系樹脂、ＡＢＳ系樹脂等が挙げられる。
【００２４】
ブラケット３は、断面形状が２箇所でクランク状に屈曲されている。ブラケット３は、摺動部１１と、その摺動部１１対して直角をなす差込部１０及び位置決め部１２とによって一体的に形成されている。摺動部１１の外側面は、パネル本体２を軸組１５間に押し込んだとき軸組１５の内側面に対して摺動されるようになっている。このとき、摺動部１１の表面は、平滑性を有していることから、発泡性樹脂材料からなるパネル本体２よりも摩擦抵抗が小さくなっている。
【００２５】
差込部１０は、摺動部１１の一端部からパネル本体２の内方に突設されており、パネル本体２の両側面２ｃに形成された溝部８に差し込まれている。この差し込みにより、ブラケット３がパネル本体２に取り付けられる。位置決め部１２は、摺動部１１の他端部からパネル本体２の外方、つまり前記差込部１０とは反対側に突設されており、パネル本体２が軸組１５間に押し込まれるとき、位置決め部１２が軸組１５に当たることで、パネル本体２が定位置に位置決めされるようになっている。
【００２６】
前記ブラケット３の差込部１０の両面には、断面鋸形状の抜け止め部１４が形成されている。この抜け止め部１４は、断面鋸状に形成され、差込部１０がパネル本体２の溝部８内に差し込まれるのを許容する一方、差込部１０が抜かれようとするとパネル本体２に食い込んで抵抗力を生じるようになっている。従って、抜け止め部１４は、パネル本体２からブラケット３を抜けにくくする役割がある。もちろん、抜け止め部１４を省略し、溝部８に差込部１０を圧入することで、溝部８の内側面と差込部１０との摩擦抵抗のみで、パネル本体２からブラケット３を抜けにくくするようにしてもよい。
【００２７】
パネル本体２の屋内面２ａには、長手方向の側縁に沿って延びる細溝５が形成されている。図６（ａ）に示すように、細溝５の位置は、ブラケット３の差込部１０が差し込まれる溝部８の内奥部よりもパネル本体２の中心寄りに位置されている。パネル本体２が軸組１５間に押し込まれるとき、図６（ｂ）に示されるように細溝５が押し潰されるようにして、パネル本体２の両側縁が内側に弾性的に変形するようになっている。このように、細溝５を設けたのは、パネル本体２の両側面２ｃが内側へ変形し易くするためである。尚、細溝５は、パネル本体２の両側縁付近にそれぞれ複数本形成してもよい。
【００２８】
上述した構成からなる断熱パネル１を軸組１５に取り付けるには、図６（ａ），（ｂ）に示すように、木造家屋の屋内側から断熱パネル１の取付作業を行う。図６（ａ）に示すように、断熱パネル１が、その屋外面２ｂ側から軸組１５間押し込まれると、ブラケット３の摺動部１１の外側面が軸組１５の内面に摺動される。ブラケット３は摩擦抵抗が低い材料から形成されているため、断熱パネル１はスムーズに押し込まれる。そして、断熱パネル１が所定量押し込まれると、ブラケット３の位置決め部１２が軸組１５に当たることで、パネル本体２の押し込みが規制される。
【００２９】
更に、断熱パネル１が軸組１５間に押し込まれるとき細溝５が押し潰され、パネル本体２の両側縁は内側に弾性変形し、パネル本体２の幅は、見かけ上、軸組１５間の幅と同じになる。この状態では、パネル本体２の両側縁は外側に向けて弾性力が作用しているため、軸組１５の内面に対しブラケット３が圧接されており、断熱パネル１のがたつきが防止される。その後、位置決め部１２が軸組１５に釘等で打ち付けられ、断熱パネル１は軸組１５間に取付けられる。
【００３０】
従って、本実施形態によれば以下のような効果を得ることができる。
（１）パネル本体２の両側面２ｃには、その両側面２ｃのほぼ全体を覆うブラケット３が延設されている。このため、パネル本体２は、隣接する軸組１５に対しブラケット３の摺動部１１を摺動させながら、軸組１５間に押し込まれるようになっている。また、このブラケット３は、パネル本体２よりも摩擦抵抗の小さい合成樹脂材料から形成されており、摺動部１１の表面では平滑性を有している。このため、断熱パネル１を軸組１５間に押し込む際、パネル本体２の両側面２ｃと軸組１５との間で生じる摩擦力を、従来よりも小さくすることができる。よって、パネル本体２を軸組１５間に押し込み易くすることができる。従って、断熱パネル１の施工性を向上させることができる。
【００３１】
（２）パネル本体２は、その両側縁付近において直線状に延びる細溝５が形成されている。このため、パネル本体２を軸組１５間に押し込む際、パネル本体２の両側縁は、隣接する軸組１５によって、内側に弾性的に変形するようになっている。よって、パネル本体２を、軸組１５間により一層押し込み易くすることが可能となる。このとき、パネル本体２の両側縁は、外側に向けて弾性力が作用しているため、軸組１５の内面に対しブラケット３が圧接されている。このことから、断熱パネル１のがたつきを防止することもできる。また、パネル本体２の幅は、細溝５が押し潰されることによって、見かけ上、軸組１５間の幅と同じに調節される。よって、断熱パネル１は、軸組１５との間に隙間を生じることなく配置されるため、家屋の気密性、断熱性を向上させることもできる。
【００３２】
（３）パネル本体２の両側面２ｃは、それらの間隔が軸組１５間に断熱パネル１が押し込まれる方向に向かうほど小さくなるように傾斜されている。このように、パネル本体２の屋外面２ｂ側は、軸組１５によって囲まれる空間内に案内され易くなっている。よって、パネル本体２を、軸組１５間に更に押し込み易くすることができる。従って、断熱パネル１の施工性をより一層向上させることができる。
【００３３】
（４）ブラケット３は、公知の押出成形方法により得られた長尺状の成形素材を、所定の長さに切断することによって形成されている。このため、ブラケット３を効率良く製造することができることから、断熱パネル１を安価に製造することができる。
【００３４】
（５）ブラケット３の差込部１０には断面鋸形状の抜け止め部１４が形成されており、この差込部１０をパネル本体２の溝部８に差し込むことによって、パネル本体２からブラケット３を抜けにくくしている。この場合、ブラケット３の差込部１０をパネル本体２の溝部８に差し込むだけで、ブラケット３とパネル本体２とを簡単かつ確実に一体化させることができる。よって、断熱パネル１をより一層安価に製造することができる。
【００３５】
［第２実施形態］
次に、断熱パネル２１の第２実施形態を図７〜図９に従って説明する。なお、第２実施形態において第１実施形態と同様の部分においては、その詳細な説明を省略する。
【００３６】
図７〜図９に示すように、ブラケット２３は、断面形状が３箇所でクランク状に屈曲されている。ブラケット２３は、摺動部２６と、その摺動部２６対して直角をなす差込部２５及び位置決め部２７とによって一体的に形成されている。ブラケット２３は、摺動部２６を、パネル本体２の両側面２ｃの全体を覆い被せるように配置されている。つまり、ブラケット２３は、摺動部２６をパネル本体２の両側面２ｃ全体に露出させた状態で、同パネル本体２の両側縁に延設されている。このため、摺動部２６の外側面は、パネル本体２を軸組１５間に押し込んだとき、軸組１５の内側面に対して、第１実施形態よりも大きい面積で摺動されるようになっている。
【００３７】
また、ブラケット２３は、摺動部２６と差込部２５とによって、パネル本体２の屋外面２ｂ側におけるコーナー部を囲むように配置されている。このため、パネル本体２の両側縁付近では、第１実施形態と比べ強度的に強くなっている。
【００３８】
摺動部２６の一端部には、断面Ｌ字状の差込部２５が突設されている。差込部２５は、直角に屈曲された先端部がパネル本体２の屋外面２ｂに形成された溝部２２に差し込まれ、差し込まれない部分がパネル本体２の屋外面２ｂに配置されている。差込部２５の先端部の両面には、断面鋸形状の抜け止め部１４が形成されているため、パネル本体２からブラケット２３を抜けにくくしている。位置決め部２７は、摺動部２６の他端部からパネル本体２の外方、つまり前記差込部２５とは反対側に突設されている。
【００３９】
（７）ブラケット２３は、摺動部２６がパネル本体２の両側面２ｃ全体を覆い被せるように配置されている。このため、パネル本体２を軸組１５間に押し込み開始してから完了するまでの間、ブラケット２３の摺動部２６は、常時軸組１５に対し摺動される。このことから、第１実施形態と比較して、パネル本体２を軸組１５間に押し込むとき、パネル本体２の両側面２ｃと軸組１５との間で生じる摩擦力をより一層小さくすることができる。従って、パネル本体２を、軸組１５間により一層押し込み易くすることが可能となる。
【００４０】
（８）パネル本体２の両側面２ｃの全体を覆い被せるようにブラケット２３が配置されているため、パネル本体２の両側縁付近において剛性を保つことができる。よって、ブラケット２３は、細溝５が形成され強度的に弱くなっているパネル本体２の両側縁付近において、補強材としての効果を発揮することもできる。
【００４１】
（９）差込部２５は、直角に屈曲された先端部がパネル本体２の屋外面２ｂに形成された溝部２２に差し込まれている。このため、パネル本体２からブラケット２３をより一層外れにくくすることができる。
【００４２】
尚、本発明の実施形態は以下のように変更してもよい。
・前記第１実施形態及び前記第２実施形態では、断熱パネル１，２１を形成する際、パネル本体２の溝部８，２２にブラケット３，２３の差込部１０，２５を差し込むことによって、パネル本体２とブラケット３，２３とを一体化させていた。しかし、断熱パネル１，２１は、例えば、インサート成型等によって、パネル本体２とブラケット３，２３とを一体的に形成してもよい。
【００４３】
・前記第１実施形態では、ブラケット３は、溝部８に差し込まれる部分としての差込部１０を１個有していた。しかし、図１０に示すように、ブラケット３３が有する差込部３１の数は、１個に限られることなく２個以上であってもよい。このようにすることで、差込部１０が１個の場合と比べ、パネル本体２からブラケット３３を外れにくくすることができる。
【００４４】
・前記第１実施形態では、ブラケット３の差込部１０の両面に断面鋸形状の抜け止め部１４が形成されていた。しかし、図１１に示すように、ブラケット４３の差込部４１の片面のみに、抜け止め部４４を形成してもよい。
【００４５】
・図１２に示すように、ブラケット５３は、パネル本体２の溝部８に差し込まれる差込部５１の先端部を直角に折曲した構成としてもよい。このようにすることで、パネル本体２からブラケット５３をより一層外れにくくすることができる。
【００４６】
・前記第１実施形態及び前記第２実施形態では、ブラケット３を形成する材料として、例えば、ポリスチレン系樹脂やポリプロピレン系樹脂等が挙げられていた。しかし、これ以外にも、ある程度軟質性を有するアルミニウムや銅等の金属材料によって、ブラケット３を形成することも可能である。
【００４７】
・前記第１実施形態及び前記第２実施形態では、断熱パネル１を、木造家屋の床を構成する根太等の軸組１５間に取り付けられるものとして具体化されていた。しかし、図１３〜図１７に示すように、断熱パネル６１を、木造家屋の壁組を構成する間柱等の軸組６６間に取付けるものに具体化してもよい。この場合、ブラケット６３は、断面形状がＬ字状に屈曲されている。ブラケット６３は、摺動部６５と、その摺動部６５対して直角をなす差込部６４とによって一体的に形成され、同摺動部６５は、一端部がパネル本体６２の屋内面６２ａから突出されている。
【００４８】
・さらには、図１８〜図２２に示すように、断熱パネル７１を、木造家屋の屋根組を構成する垂木等の軸組７７間に取付けるものに具体化してもよい。ブラケット７３は、断面形状が３箇所でクランク状に屈曲されている。ブラケット７３は、摺動部７５と、その摺動部７５対して直角をなす差込部７４及び位置決め部７６とによって一体的に形成されている。摺動部７５は、一端部がパネル本体７２の屋内面７２ａから突出され、位置決め部７６はパネル本体７２の屋内面７２ａから離れて配置されている。
【００４９】
・また、図２３〜図２６に示すように、側長や厚み等を変更した板状のパネル本体８１，８５に対し、その両側面８１ｃ、８５ｃにブラケット８２，８６を差し込むことで、任意の寸法及び形状を有する断熱パネル８３，８７を形成することも可能である。
【００５０】
次に、上記実施形態及び別例によって把握される技術的思想を以下に列挙する。
（１）家屋の軸組間に押し込まれる断熱パネルであって、パネル本体の側面に、同パネル本体を軸組に対して取り付けるためのブラケットを延設し、このパネル本体の側面部分に相当する前記ブラケットの一部を露出させ、前記ブラケットの形成材料を前記パネル本体のそれよりも摩擦抵抗が小さい材料としたことを特徴とする断熱パネル。
【００５１】
（２）前記ブラケットは、ポリスチレン系樹脂、ポリプロピレン系樹脂、ＡＢＳ系樹脂等から選ばれた少なくとも１種の材料から形成されていることを特徴とする請求項１〜６のうちいずれか１項に記載の断熱パネル。
【００５２】
（３）前記ブラケットは、前記パネル本体が前記軸組間に押し込まれるとき前記軸組に対して摺動する摺動部と、前記摺動部の一端部に設けられかつ前記パネル本体の側縁部付近に形成された溝部に差し込まれる差込部とを備え、前記差込部及び前記摺動部は合成樹脂材料によって一体的に形成されていることを特徴とする請求項１に記載の断熱パネル。
【００５３】
【発明の効果】
以上詳述したように、本発明によれば、パネル本体を軸組間に押し込み易くすることによって、断熱パネルの施工性を向上させることができる。
【図面の簡単な説明】
【図１】第１実施形態における断熱パネルの斜視図。
【図２】同じく別の角度から見た断熱パネルの斜視図。
【図３】同じく断熱パネルのブラケットの斜視図。
【図４】同じく別の角度から見た断熱パネルのブラケットの斜視図。
【図５】同じくブラケットの拡大斜視図。
【図６】（ａ）、（ｂ）は第１実施形態の断熱パネルが軸組間に嵌め込まれるときの状態を説明するための図。
【図７】第２実施形態における断熱パネルのブラケットの斜視図。
【図８】同じく別の角度から見た断熱パネルのブラケットの斜視図。
【図９】同じく第２実施形態の断熱パネルが軸組間に嵌め込まれるときの状態を説明するための図。
【図１０】別例の断熱パネルの両側縁付近の拡大断面図。
【図１１】別例の断熱パネルの両側縁付近の拡大断面図。
【図１２】別例の断熱パネルの両側縁付近の拡大断面図。
【図１３】別例の断熱パネルの斜視図。
【図１４】同じく別の角度から見た断熱パネルの斜視図
【図１５】同じく断熱パネルのブラケットの斜視図。
【図１６】同じく別の角度から見た断熱パネルのブラケットの斜視図。
【図１７】（ａ）、（ｂ）は別例の断熱パネルが軸組間に嵌め込まれるときの状態を説明するための図。
【図１８】別例の断熱パネルの斜視図。
【図１９】同じく別の角度から見た断熱パネルの斜視図。
【図２０】同じく断熱パネルのブラケットの斜視図。
【図２１】同じく別の角度から見た断熱パネルのブラケットの斜視図。
【図２２】（ａ）、（ｂ）は別例の断熱パネルが軸組間に嵌め込まれるときの状態を説明するための図。
【図２３】別例の断熱パネルの斜視図。
【図２４】同じく別の角度から見た断熱パネルの斜視図。
【図２５】別例の断熱パネルの斜視図。
【図２６】同じく別の角度から見た断熱パネルの斜視図。
【図２７】従来の断熱パネルの拡大斜視図。
【符号の説明】
１…断熱パネル、２…パネル本体、２ｃ…側面、３…ブラケット、５…細溝、８…溝部、１０…差込部、１１…摺動部、１２…位置決め部、１４…抜け止め部、１５…軸組。
【図１】
2004176342.tif 000003
【図２】
2004176342.tif 000004
【図３】
2004176342.tif 000005
【図４】
2004176342.tif 000006
【図５】
2004176342.tif 000007
【図６】
2004176342.tif 000008
【図７】
2004176342.tif 000009
【図８】
2004176342.tif 000010
【図９】
2004176342.tif 000011
【図１０】
2004176342.tif 000012
【図１１】
2004176342.tif 000013
【図１２】
2004176342.tif 000014
【図１３】
2004176342.tif 000015
【図１４】
2004176342.tif 000016
【図１５】
2004176342.tif 000017
【図１６】
2004176342.tif 000018
【図１７】
2004176342.tif 000019
【図１８】
2004176342.tif 000020
【図１９】
2004176342.tif 000021
【図２０】
2004176342.tif 000022
【図２１】
2004176342.tif 000023
【図２２】
2004176342.tif 000024
【図２３】
2004176342.tif 000025
【図２４】
2004176342.tif 000026
【図２５】
2004176342.tif 000027
【図２６】
2004176342.tif 000028
【図２７】
2004176342.tif 000029